(57)【要約】【課題】陰茎の大小差に対応でき、装着時の違和感がなく、しかも安価に製造可能であって、包茎を個人的に矯正することができるとともに、亀頭から容易に脱落することを防止することが可能な包皮矯正具を提供すること。【解決手段】亀頭２１の根もと２２に係合する一端部１１，１６を有する複数の部材２，３，４と、これら複数の部材２，３，４の一端部１１，１６同士を繋ぎ係止する弾性材からなる第一連結具５と、複数の部材２，３，４の他端部１２，１７同士を繋ぐ第二連結具６とを備え、一端部１１，１６及び他端部１２，１７は、円筒部材９，１０が形成されており、一端部１１，１６に形成された円筒部材９の外周面における根もと２２への係合部には、一端部１１，１６の長手方向への滑りを阻止するための凸部８が設けられていることを特徴とする【選択図】図１
2007082797.tif 000002
【特許請求の範囲】
【請求項１】
男性の陰茎に装着され、包皮を矯正する包皮矯正具であって、
陰茎の亀頭の根もとに係合する一端部を有する複数の部材と、
これら複数の部材の前記一端部同士を繋ぎ、且つこれら一端部を前記陰茎の周方向に互いに離して係止する弾性材からなる輪状の第一連結具と、
前記複数の部材の前記一端部よりも前記陰茎の根もと側に位置する他端部同士を繋ぎ且つ前記部材の反り返りを防止する、前記他端部が前記陰茎から離れる方向に変位した位置に配設されるような周長を有する弾性材からなる輪状の第二連結具とを備え、
前記部材の前記一端部と前記他端部との間の長手部が前記包皮を保持する包皮矯正具において、
前記一端部及び前記他端部は、前記第一連結具又は前記第二連結具を挿通するための、長手方向に直行する方向を軸方向とし、外周面の一部を軸方向に切り欠いた円筒部材が形成されており、
前記一端部に形成された前記円筒部材の外周面における前記亀頭のねもとへの係合部には、前記一端部の長手方向への滑りを阻止するための凸部が設けられていることを特徴とする包皮矯正具。
【請求項２】
前記凸部は、前記円筒部材の外周面において、当該円筒部材の軸方向に連続し、前記軸方向から見た側面視が円弧状であることを特徴とする請求項１に記載の包皮矯正具。
【請求項３】
前記凸部は、前記円筒部材の外周面において、当該円筒部材の軸方向に連続し、前記軸方向から見た側面視がその頂点に近づくに従って徐々に曲率が大きくなる偏心した円弧状であることを特徴とする請求項１に記載の包皮矯正具。
【発明の詳細な説明】
【技術分野】
【０００１】
本発明は、男性の陰茎の包皮を矯正し得る包皮矯正具に関する。
【背景技術】
【０００２】
男性の陰茎は、身体の成長に伴い陰茎の先端側の包皮が捲れて、亀頭が完全に露出した状態となっているのが正常である。しかしながら、包皮が亀頭を完全に被覆していて包皮を捲ることができない（真性包茎）、又は包皮を捲ることはできるが陰茎の平常時にも包皮が亀頭の一部を被覆している（仮性包茎）ような場合は、一般に包茎と呼称される。そして、この包茎は、病ではないが、陰茎癌その他の病気を招く恐れがある等の理由により処置を施した方がよいとされている。
【０００３】
従来の包茎矯正具として、例えば図１３に示す包皮矯正具が知られている（特許文献１参照）。
図１３に示す包皮矯正具３０は、陰茎の亀頭の根もとに係合する一端部３１，３２及びこの一端部３１，３２に連続し且つこの一端部３１，３２よりも陰茎から離れる方向に変位した位置に配設される長手部３３，３４を有する複数の部材３５，３６と、これら部材３５，３６の一端部３１，３２同士を繋ぎ且つこれらを陰茎の周方向に互いに離して係止する弾性材からなる第一連結具３７と、部材３５，３６の他端部３８，３９同士を繋ぎ且つ部材３５，３６の反り返りを防止する弾性材からなる第二連結具４０とを備えている。そして、一端部３１，３２の亀頭根もと側は、滑らかな曲面状に形成されている。
【０００４】
かかる構成により、包皮矯正具３０によれば、包皮矯正具３０を陰茎に装着することで、包皮に剥け癖を施し、これによって包茎を矯正することが可能となるとともに、包皮矯正具３０の装着時において違和感が生じることを防止することが可能となる。
【特許文献１】特開平７−１８４９４５
【発明の開示】
【発明が解決しようとする課題】
【０００５】
確かに包皮矯正具３０によれば、一端部３１，３２の亀頭根もと側が滑らかな曲面状に形成されていることにより、多くの包皮矯正具３０の使用者において、包皮矯正具３０の装着時において違和感が生じることなく、包茎を矯正することができるという効果を奏することが可能であった。
しかしながら、本願出願人は、非常に稀ではあるが、一端部３１，３２の亀頭根もと側が滑らかな曲面状に形成していることに起因して、部材３５，３６に対して包皮が亀頭側へ戻ろうとする力又は腹部が他端部３８，３９に接触することによる力が加わることにより、一端部３１，３２の亀頭の根もとへの係合が解除され、包皮矯正具３０が亀頭から脱落してしまうという課題があることを発見した。
本発明の目的は、陰茎の大小差に対応でき、装着時の違和感がなく且つ陰茎に損傷を与えず、しかも安価に製造可能であって、包茎を個人的に矯正することができるとともに、亀頭から容易に脱落することを防止することが可能な包皮矯正具を提供することにある。
【課題を解決するための手段】
【０００６】
本発明のうち請求項１に係る包皮矯正具は、男性の陰茎に装着され、包皮を矯正する包皮矯正具であって、
陰茎の亀頭の根もとに係合する一端部を有する複数の部材と、
これら複数の部材の前記一端部同士を繋ぎ、且つこれら一端部を前記陰茎の周方向に互いに離して係止する弾性材からなる輪状の第一連結具と、
前記複数の部材の前記一端部よりも前記陰茎の根もと側に位置する他端部同士を繋ぎ且つ前記部材の反り返りを防止する、前記他端部が前記陰茎から離れる方向に変位した位置に配設されるような周長を有する弾性材からなる輪状の第二連結具とを備え、
前記部材の前記一端部と前記他端部との間の長手部が前記包皮を保持する包皮矯正具において、
前記一端部及び前記他端部は、前記第一連結具又は前記第二連結具を挿通するための、長手方向に直行する方向を軸方向とし、外周面の一部を軸方向に切り欠いた円筒部材が形成されており、
前記一端部に形成された前記円筒部材の外周面における前記亀頭のねもとへの係合部には、前記一端部の長手方向への滑りを阻止するための凸部が設けられていることを特徴とする。
【０００７】
また、本発明のうち請求項２に係る包皮矯正具は、請求項１記載の包皮矯正具において、前記凸部は、前記円筒部材の外周面において、当該円筒部材の軸方向に連続し、前記軸方向から見た側面視が円弧状であることを特徴とする。
また、本発明のうち請求項３に係る包皮矯正具は、請求項１記載の包皮矯正具において、前記凸部は、前記円筒部材の外周面において、当該円筒部材の軸方向に連続し、前記軸方向から見た側面視がその頂点に近づくに従って徐々に曲率が大きくなる偏心した円弧状であることを特徴とする。
【発明の効果】
【０００８】
本願請求項１に係る包皮矯正具によれば、陰茎の亀頭の根もとに係合する一端部を有する複数の部材と、これら複数の部材の前記一端部同士を繋ぎ、且つこれら一端部を前記陰茎の周方向に互いに離して係止する弾性材からなる輪状の第一連結具と、前記複数の部材の前記一端部よりも前記陰茎の根もと側に位置する他端部同士を繋ぎ且つ前記部材の反り返りを防止する、前記他端部が前記陰茎から離れる方向に変位した位置に配設されるような周長を有する弾性材からなる輪状の第二連結具とを備え、前記部材の前記一端部と前記他端部との間の長手部が前記包皮を保持する包皮矯正具において、前記一端部及び前記他端部は、前記第一連結具又は前記第二連結具を挿通するための、長手方向に直行する方向を軸方向とし、外周面の一部を軸方向に切り欠いた円筒部材が形成されており、前記一端部に形成された前記円筒部材の外周面における前記亀頭のねもとへの係合部には、前記一端部の長手方向への滑りを阻止するための凸部が設けられている構成により、包皮に剥け癖を施し、これによって包茎を矯正することが可能となるとともに、包皮矯正具が亀頭から容易に脱落することを防止することが可能となる。
【０００９】
また、本願請求項２に係る包皮矯正具によれば、前記凸部は、前記円筒部材の外周面において、当該円筒部材の軸方向に連続し、前記軸方向から見た側面視が円弧状である構成により、包皮矯正具装着時に違和感が生じるのを防止しつつ包皮矯正具が亀頭から容易に脱落することを防止することが可能となる。
また、本願請求項３に係る包皮矯正具によれば、前記凸部は、前記円筒部材の外周面において、当該円筒部材の軸方向に連続し、前記軸方向から見た側面視がその頂点に近づくに従って徐々に曲率が大きくなる偏心した円弧状である構成により、包皮矯正具装着時に違和感が生じるのを防止しつつ、より強く前記凸部を亀頭の根元に引っかけることができ、包皮矯正具が亀頭から容易に脱落することを防止することが可能となる。
【発明を実施するための最良の形態】
【００１０】
以下、本発明の実施形態に係る包皮矯正具を図面を参照して説明する。
図１は本発明の実施形態に係る包皮矯正具の構成を示す斜視図である。図２は部材の正面図である。図３は部材の側面図である。図４は部材の平面図である。図５は部材の正面図である。図６は部材の側面図である。図７は部材の平面図である。
包皮矯正具１は、図１に示すように、三つの部材２，３，４と、これら部材２〜４の一端側を繋ぐ第一連結具５と、部材２〜４の他端側を繋ぐ第二連結具６とから構成されている。
【００１１】
三つの部材２〜４のうち、部材２及び３は、図２から図４に示すように、一端部１１と、他端部１２と、長手部１３とを備えており、プラスチックの成型品である。
そして、一端部１１及び他端部１２には、長手方向（図４における左右方向）に対して幅方向（図４における上下方向）が小さく設定された帯状の部材に形成された長手部１３の両端部を、幅方向を軸方向として上下方向（図２における上下方向）上方に湾曲させることにより、外周面の一部を幅方向に切り欠いた円筒部材９，１０が形成されている。また、長手部１３は、一端部１１と他端部１２との間において、前記一端部１１及び他端部１２の曲率に対して小さい曲率で、一端部１１及び他端部１２の湾曲方向とは逆の方向である上下方向下方に緩やかに湾曲している。
【００１２】
部材４は、図５から図７に示すように、上記二つの部材２及び３とは構成を異にしており、部材１４と、部材１５と、連結部材１９とを備えている。部材４も、プラスチックの成型品である。
各部材１４，１５は、基本的構成は部材２及び３と同様であり、一端部１６及び他端部１７と長手部１８とを有しており、一端部１６及び他端部１７においてはそれぞれ円筒部材９，１０が形成されている。ただし、部材１４，１５の幅は、部材２及び３の幅に対して小さく形成されている。
【００１３】
そして、部材４は、二つの部材１４，１５を幅方向に所定距離離して互いに平行に配置して、連結部材１９を両長手部１８の長手方向略中央部間に懸架して固着することによって一体的に構成されている。
そして、各部材２〜４の一端部１１，１６は、円筒部材９の外周面が、陰茎２０の亀頭２１の根もと２３と直接接触する接触部を形成するが、部材４においては、両部材１４，１５の間の隙間によって陰茎裏面の筋状部分２５を覆う空隙部Ｘを構成しており、前記一端部１６と空隙部Ｘとによって圧迫保護構造をなしている。
【００１４】
ここで、各部材２〜４の一端部１１，１６の円筒部材９の外周面においては、円筒部材９の軸方向に連続し、円筒部材９の軸方向から見た側面視が円筒部材９の外周面の曲率半径に対して小さい曲率半径の円弧状に形成された凸部８が設けられている。そして、凸部８は、各部材２〜４の一端部１１，１６の円筒部材９の外周面の長手方向外側下方であって、包皮矯正具１の通常の使用状態において凸部８の外側の斜面が根もと２３の亀頭２１側に係合する位置において設けられている。
【００１５】
なお、本実施形態においては、各部材２，３の一端部１１においては、円筒部材９外周面の曲率半径は３．３ｍｍ、凸部８の曲率半径は２．１ｍｍに形成されているが、凸部８の曲率半径は１．２ｍｍ〜３．０ｍｍの範囲内において適宜変更することが可能である。また、各部材４の一端部１６においては、円筒部材９の外周面の曲率半径は４．３ｍｍ、凸部８の曲率半径は２．７ｍｍに形成されているが、凸部８の曲率半径は１．５ｍｍ〜３．９ｍｍの範囲内において適宜変更することが可能である。
【００１６】
ここで、凸部８は、各部材２〜４の一端部１１，１６の円筒部材９においてのみならず、各部材２〜４の他端部１２，１７の円筒部材１０においても同様に設けても構わず、凸部８を一端部１１，１６及び他端部１２，１７の両方に設け、部材２〜４を長手方向に対象に形成することで、部材２〜４と第一連結具５及び第二連結具６とを組み合わせて包皮矯正具１を構成する際において、一端部１１，１６と他端部１２，１７とを判別する必要がなくなり迅速に組合せ作業を行うことが可能となる。なお、図２及び図５においては、凸部８を一端部１１，１６及び他端部１２，１７の両方に設けた構成を示している。
【００１７】
第一の連結具５は、例えばゴム等の弾性材を輪状に形成したものであり、外部から力が加わっていない状態の周長が、包皮矯正具１が装着される陰茎の平常状態における亀頭の根もとの周長より若干長くなるように形成されている。
第二連結具６は、第一の連結具５と同様にゴム等の弾性材を輪状に形成したものであり、外部から力が加わっていない状態の周長が、第一連結具５の周長よりも長く、且つ、陰茎の平常状態における周長より長く形成されている。
【００１８】
そして、包皮矯正具１は、これら部材２〜４について、それぞれの一端部１１，１６の円筒部材９に第一連結具５を挿通することによって繋がれるとともに、それぞれの他端部１２，１７の円筒部材１０に第二連結具６を挿通することによって繋がれることにより構成される。
ここで、部材２〜４が第一連結具５及び第二連結具６により繋がれた状態においては、各一端部１１，１６及び各他端部１２，１７は、第一連結具５又は第二連結具６それぞれの周方向において所定の間隔で互いに離間して配置され、また、各部材２〜４は、一端部１１，１６の円筒部材９の外周面の凸部８が設けられている側が、第一連結具５及び第二連結具６の内側に向くように固定されている。
【００１９】
次に、包皮矯正具１の使用例について説明する。
図８は包皮矯正具を陰茎に装着し、これを表側から見た状態を示す説明図である。図９は包皮矯正具を陰茎に装着し、これを裏側から見た状態を示す説明図である。図１０は包皮矯正具を陰茎に装着し、これを横側から見た状態を示す拡大図である。ここで、表側とは人体の腹部に続く側をいい、裏側とは人体の臀部に続く側をいう。
【００２０】
陰茎２０に包皮矯正具１を装着するには、図８に示すように、まず、例えば手で包皮矯正具１を把持して、この包皮矯正具１を第二連結具６、第一連結具５の順で陰茎２０に嵌める。この際、弾性材により形成された第一連結具５及び第二連結具６を少し広げた状態で、その内側に陰茎２０を亀頭２１側から挿通させる。そして、包皮矯正具１を陰茎２０に装着するときに、亀頭２１を包んでいる包皮２２を捲り、亀頭２１を露出させた状態において装着する。
【００２１】
そして、包皮矯正具１の各部材２〜４の一端部１１，１６に備えられた凸部８を亀頭２１の根もと（陰茎の周方向に沿った括れ）２３に係合させる。
この場合において、陰茎２０裏面の亀頭２１付近にある筋状部分２５においては、図９に示すように、部材４を、各部材１４，１５の一端部１６が筋状部分２５の各側方にそれぞれ位置するように配置される。
【００２２】
ここで、各一端部１１，１６及び各凸部８は、湾曲した滑らかな曲面状に形成されているため、前記係合時においても陰茎２０を損傷する恐れがなく、装着時の違和感も生じない。また、部材４を筋状部分２５に位置させることで、両部材１４，１５の間の空隙部Ｘがこの筋状部分２５を覆うこととなり、第一連結具５が陰茎２０から所定距離浮いた状態となるので、筋状部分２５に圧迫を加えることを防止することが可能となる。
【００２３】
これによって、部材２〜４の一端部１１，１６は、凸部８によって亀頭２１の根もと２３に係合しつつ、第一連結具５の弾性によって定位置に係止されるが、第一連結具５は、単に各一端部１１，１６を係止しているだけであり、陰茎２０が平常状態のときは押圧を付加していないから、陰茎２０の血液の循環を妨げることがない。一方、陰茎２０が勃起状態のときは僅かに押圧を付加することもあり得るが、この押圧は陰茎２０の血液の循環を妨げる程度のものではない。なお、図８及び図９においては、亀頭２１を包む包皮２２は、包皮矯正具１の装着時に人手で捲ったため、人体の腹部側に張った状態にある。
【００２４】
このように陰茎２０に包皮矯正具１を装着すると、前記捲った包皮２２は、部材２〜４の一端部１１，１６側に縮んで寄り集まった状態にある。このような包皮２２は、通常は亀頭２１を包んでいるものであるため、亀頭２１側に戻ろうとするが、包皮２２の先端は、凸部８により亀頭２１の根もと２３に係合された部材２〜４の一端部１１，１６によって押さえられて制止される。そして、亀頭２１側への戻りが制止された包皮２２は、包皮２２自身の弾性力から膨らむとともに部材２〜４を外方へ向けて押すが、部材２〜４の他端部１２，１７は、第二連結具６によって繋がれているため亀頭２１側への反り返りが防止されている。したがって、包皮２２の広がりは、図１０に示すように、第二連結具６の弾性変形可能な範囲で制止され、前記寄り集まった包皮２２は、部材２〜４の長手部１３，１８の内側に常に収まった状態にある。なお、図１０においては、図面を明瞭にするため、陰茎２０内側の海綿体を一点鎖線で、外側の表皮を点線で個別に示している。
【００２５】
したがって、本発明の包皮矯正具１によれば、陰茎２０に簡単に装着するだけで、包茎を矯正することが可能となる。すなわち、日中の活動時及び夜間の睡眠時には、包皮矯正具１を常時陰茎２０に装着しておき、例えば入浴時や性交時等には外すようにすると、包皮２２に剥け癖が施され、これによって包茎を矯正することができる。そして、この場合において、包皮矯正具１は、各部材２〜４の一端部１１，１６に備えられた凸部８により、亀頭２１の根もと２３に強く係合させるため、一端部１１，１６に対して、包皮２２が亀頭２１側へ戻ろうとする力又は腹部が他端部１２，１７に接触することによる力が加わった場合においても、一端部１１，１６の根もと２３への係合が容易に解除されることを避けることができ、包皮矯正具１が亀頭２１から容易に脱落することを防止することが可能となる。
【００２６】
また、この包皮矯正具１は、低コストで製造可能であるから、従来のように手術費用が莫大にかかることがなく、しかも個人的に包茎を矯正することができる。
さらに、当該包皮矯正具１は、陰茎２０の平常時と勃起時との大小変化に第一連結具５及び第二連結具６の弾性変形によって対応し、装着状態を的確に維持することができるとともに、装着による違和感がなく、また陰茎の血液の循環その他を妨げることもない。ここで、第一連結具５及び第二連結具６は、陰茎２０の個人的大小差によって、種々の長さに取り替えたりしてもよく、例えば上述したように、陰茎２０が勃起状態となったとき僅かに付加される押圧を不快に感じる場合は、大きめの第一連結具５及び第二連結具６に交換するとよい。
【００２７】
具体的には、第一連結具５は、陰茎２０が平常及び勃起のいずれの状態のときにも、各一端部１１，１６を係止でき、且つ陰茎２０の血液の循環に影響を与えない程度の長さであって、第二連結具６は、陰茎２０が平常及び勃起のいずれの状態においても、部材２〜４が反り返らない程度の長さとすればよい。
以上、本発明の実施形態について説明してきたが、本発明はこれに限定されず、種々の変更を行うことができる。
【００２８】
例えば、上記実施形態においては、部材２〜４は、アルミニウムを素材として放電加工により形成したものとしたが、これはアルミニウムが軽量であり、また放電加工による形成が容易であるといった利点から特記したものであって、部材２〜４並びに第一連結具５及び第二連結具６は、特許請求の範囲において記載した範疇を外れるものでなければ、その素材，形状及び形成方法はいかなるものであっても構わず、同様の効果を得ることができる。
【００２９】
例えば、図１１（ａ），（ｂ）に示すものは、前記包皮矯正具１の部材２，３に相当する部材であり、所定長さの針金（断面円形の棒状材）の両端をスプリング状に形成して前記部材の一端部１１及び他端部１２とし、これらの間を長手部１３とする。また、図１２（ａ），（ｂ）に示すものは、包皮矯正具１の部材４に相当する部材であり、前記針金より大径の針金（断面円形の棒状材）の両端をスプリング状に二回巻回して一端部１６及び他端部１７とし、これらの間を長手部１８とする。さらに、一端部１６の長手部１８に連続する第一巻回部１６ａとこの第一巻回部１６ａに連続する第二巻回部１６ｂとの間を拡開し、空隙部Ｘとする。そして、この場合においても、各部材２〜４の場合と同様に、一端部１１，１６の巻回された外周面においては凸部８が設けられている。そして、これらの部材の巻回部中央にゴム等の弾性材を挿通させ、前記包皮矯正具１と同様に構成してなるものでもよい。
【００３０】
また、上記実施形態においては、部材２〜４を三つ用いたものとして説明したが、二つあるいは四つ以上であってもよい。但し、部材が二つの場合は、包皮矯正具の製造コストを削減できるが、陰茎２０への包皮矯正具１の装着が不安定となり、また部材が四つ以上の場合は、陰茎２０への安定した装着状態を得ることができるが、包皮矯正具１の製造コストがアップする。したがって、所見によれば、部材を三つとするのが最も好適である。
【００３１】
さらに、上記実施形態においては、凸部８は、円筒部材９の軸方向から見た側面視が円弧状に形成されているが、その形状及び位置は適宜変更することが可能であり、凸部８を円筒部材９の軸方向から見た側面視がその頂点に近づくに従って徐々に曲率が大きくなる偏心した円弧状に形成しても構わず、かかる構成とすることにより、包皮矯正具１装着時に違和感が生じるのを防止しつつ、より強く凸部８を亀頭２１の根もと２３に係合させることができ、包皮矯正具１が亀頭２１から容易に脱落することを防止することが可能となる。
【図面の簡単な説明】
【００３２】
【図１】本発明の実施形態に係る包皮矯正具の構成を示す斜視図である。
【図２】部材の正面図である。
【図３】部材の側面図である。
【図４】部材の平面図である。
【図５】部材の正面図である。
【図６】部材の側面図である。
【図７】部材の平面図である。
【図８】包皮矯正具を陰茎に装着し、これを表側から見た状態を示す説明図である。
【図９】包皮矯正具を陰茎に装着し、これを裏側から見た状態を示す説明図である。
【図１０】包皮矯正具を陰茎に装着し、これを横側から見た状態を示す拡大図である。
【図１１】本実施例において説明した包皮矯正具の部材の他の例を示す図であり、同図（ａ）は正面図，同図（ｂ）は同図（ａ）のＡ線矢視図である。
【図１２】同包皮矯正具の部材の他の例を示す図であり、同図（ａ）は正面図，同図（ｂ）は同図（ａ）のＢ線矢視図である。
【図１３】従来の包皮矯正具の構成を示す斜視図である。
【符号の説明】
【００３３】
１    包皮矯正具
２    部材
３    部材
４    部材
５    第一連結具
６    第二連結具
８    凸部
９    円筒部材
１０  円筒部材
１１  一端部
１６  一端部
１２  他端部
１７  他端部
１３  長手部
１８  長手部
２０  陰茎
２１  亀頭
２３  （亀頭の）根もと
２４  陰茎表皮
２５  筋状部分
Ｘ    空隙部
３０  包皮矯正具
３１  一端部
３２  一端部
３３  長手部
３４  長手部
３５  部材
３６  部材
３７  第一連結具
３８  他端部
３９  他端部
４０  第二連結具
【図１】
2007082797.tif 000003
【図２】
2007082797.tif 000004
【図３】
2007082797.tif 000005
【図４】
2007082797.tif 000006
【図５】
2007082797.tif 000007
【図６】
2007082797.tif 000008
【図７】
2007082797.tif 000009
【図８】
2007082797.tif 000010
【図９】
2007082797.tif 000011
【図１０】
2007082797.tif 000012
【図１１】
2007082797.tif 000013
【図１２】
2007082797.tif 000014
【図１３】
2007082797.tif 000015